(57)【要約】【課題】システムキッチンにおけるシンク下のスライド式引き出し、あるいは、開き戸の中に、直径が大小様々で、かつ、厚さの異なる種々の形状の鍋蓋を整頓して立掛け、しかも、後で欲しい鍋蓋を取り出し易く収納することができるように工夫した鍋蓋収納ラックを提供することを目的としている。【解決手段】下貫板が所定の間隔を隔てて相対向して設けられ、かつ、前記下貫板を跨って複数の仕切板が立設された鍋蓋収納ラックであって、前記複数の仕切板の上辺部にＶ字状の溝を設けることを特徴とする鍋蓋収納ラックである。【選択図】図１
0003121019.tif 000002
【実用新案登録請求の範囲】
【請求項１】
下貫板が所定の間隔を隔てて相対向して設けられ、
かつ、前記下貫板を跨って複数の仕切板が立設された鍋蓋収納ラックであって、
前記複数の仕切板の周辺部に溝を設けることを特徴とする鍋蓋収納ラック。
【請求項２】
前記溝はＶ字状の溝であり、このＶ字状の溝を前記複数の仕切板の上辺部に設け、
かつ、前記Ｖ字状の溝における溝底部の、前記下貫板からの高さが、前記複数の仕切板の手前から奥へ向けて、順次傾斜してなることを特徴とする請求項１記載の鍋蓋収納ラック。
【請求項３】
前記溝はＶ字状の溝であり、このＶ字状の溝を前記複数の仕切板の上辺部および側辺部に設け、
かつ、これらのＶ字状の溝における溝底部の、前記下貫板からの高さが、前記複数の仕切板の手前から奥へ向けて、順次傾斜してなることを特徴とする請求項１記載の鍋蓋収納ラック。
【考案の詳細な説明】
【技術分野】
【０００１】この考案は、各種サイズの鍋蓋を収納するラックに関する。詳しくは、システムキッチンにおけるシンク下のスライド式引き出し、あるいは、開き戸の中に、直径が大小様々で、かつ、厚さの異なる種々の形状の鍋蓋を立てて整頓し、しかも、後で取り出し易く収納することができるように工夫した鍋蓋収納ラックに関する。
【背景技術】
【０００２】食事した後、茶碗や皿等と一緒に料理に使った鍋を洗う。その際、システムキッチンの所定の場所に置いた水切り篭の中に茶碗や皿等と一緒に鍋蓋を重ねて水切りする。その後、水切り篭の周辺に置いた鍋蓋収納ラックに鍋蓋を並べようとすると、狭いシステムキッチンの周辺がさらに狭くなり鍋蓋収納ラックが邪魔になる。また、壁に備えたラックに鍋蓋を吊り下げたりするが、壁はしゃもじ、おたま等の長尺ものを掛けるために使いたい。システムキッチンの周辺は、一時的に物を置くために、少しでもスペースを確保しておきたいものである。このような理由から、鍋蓋収納場所を他に求める必要がある。【０００３】ところで、従来の上記の鍋蓋収納ラックとして、本立ての様な型式のものが先に提案されている（例えば、特許文献１参照）。この種の鍋蓋収納ラックでは、鍋蓋を立てて外周縁を底板に載置し、仕切り枠の間に凭せ掛ける使い方をする。この鍋蓋収納ラックは、全体の骨格が針金製であり、鍋蓋の外周縁を支える箇所が細過ぎるので、大きい鍋蓋を仕切り枠に凭せ掛けると鍋蓋の据わりが悪い。即ち、収納した円盤状の鍋蓋が、鍋蓋収納ラックから転げ出易く整頓ができない。【０００４】一方、最近のシステムキッチンは、シンク下の開き戸の中に広いスペースがあり、あるいは、シンク下にスライド式の引き出しを備えるものが多い。そして、この引き出しは深く、通常は約２５ｃｍ程度の深さとかなりのスペースを有する。そのため、この引き出しの中に、大小の鍋、落し蓋、サナ、ボール、フライパン等の調理器を上方から無造作に詰め込みがちであり、後で、欲しいものを取り出す際には、これらを上下にひっくり返しながら取り出すので、折角収納した筈の調理器の整理がつかなくなる。【０００５】また、従来の鍋蓋収納ラックでは、ラックの底に鍋蓋の外周縁を載せる使い方をするので、手前に大きい鍋蓋が並ぶと奥の小さい鍋蓋は大きい鍋蓋の中に沈んでしまって、後で取り出し難い。【０００６】
【特許文献１】実開平３−５５０４３号公報
【考案の開示】
【考案が解決しようとする課題】
【０００７】以上の通りであって、特許文献１に代表されるように、従来の鍋蓋収納ラックには、まとめると、次のような問題点がある。【０００８】即ち、従来の鍋蓋収納ラックの問題点の第一は、全体の骨格が針金製なので、鍋蓋を支える箇所が細過ぎて大きい鍋蓋をスタンド材に凭せ掛けると、円盤状の鍋蓋の据わりが悪く外へ転げ出易く整頓ができない。【０００９】第二に、従来の鍋蓋収納ラックは、仕切り枠の底に鍋蓋の外周縁を載せる使い方をするので、手前に大きい鍋蓋がくると奥の小さい鍋蓋は大きい鍋蓋の中に沈んでしまって必要な鍋蓋を取り出し難く、使い勝手が悪い。【００１０】そこで、本考案の鍋蓋収納ラックは、このような従来の抱える問題点を解決するためになされたもので、システッムキッチンにおけるシンク下のスライド式引き出し、あるいは、開き戸の中に、直径が大小様々で、かつ、厚さの異なる種々の形状の鍋蓋を整頓して立掛け、しかも、後で欲しい鍋蓋を取り出し易く収納することができるように工夫した鍋蓋収納ラックを提供することを目的としている。
【課題を解決するための手段】
【００１１】そこで、本考案者は、本立ての形状に着目し、この仕切りの間に鍋蓋を立てて並べると大小の鍋蓋が整然と、しかも後で取り出し易く収納できるということを確認できた。本考案の鍋蓋収納ラックは、かかる知見を基に具現化したもので、請求項１の考案は、下貫板が所定の間隔を隔てて相対向して設けられ、かつ、前記下貫板を跨って複数の仕切板が立設された鍋蓋収納ラックであって、前記複数の仕切板の周辺部に溝を設けることを特徴とする鍋蓋収納ラックである。【００１２】また、請求項２の考案は、請求項１の考案の上記特徴に加えて、前記溝はＶ字状の溝であり、このＶ字状の溝を前記複数の仕切板の上辺部に設け、かつ、前記Ｖ字状の溝における溝底部の、前記下貫板からの高さが、前記複数の仕切板の手前から奥へ向けて、順次傾斜してなることを特徴とする鍋蓋収納ラックである。【００１３】また、請求項３の考案は、請求項１の考案の上記特徴に加えて、前記溝はＶ字状の溝であり、このＶ字状の溝を前記複数の仕切板の上辺部および側辺部に設け、かつ、これらのＶ字状の溝における溝底部の、前記下貫板からの高さが、前記複数の仕切板の手前から奥へ向けて、順次傾斜してなることを特徴とする鍋蓋収納ラックである。
【考案の効果】
【００１４】システムキッチンにおけるシンク下の引き出し、あるいは、開き戸の中に鍋蓋収納ラックを置き、この中に鍋蓋を収納するものであって、システムキッチンの周辺の狭いスペースを効率よく使って鍋蓋を整然と整頓することができる。この際、鍋蓋を複数の仕切板に立てて掛けるので、本立てに本を片付ける感覚で鍋蓋を整理することができる。しかも、仕切板の溝に鍋蓋のつまみを挿入して立掛けるので外れることがなく、安定して鍋蓋を整頓することができる。また、鍋蓋を直径の大小の順に立てて収納するので、後で、鍋蓋の外周縁を欲しい鍋蓋を取り出し易い等の効果を奏するものである。
【考案を実施するための最良の形態】
【００１５】本考案の実施の形態を、添付図面に示した本考案の実施例に基づいて以下に具体的に説明する。
【実施例１】
【００１６】先ず、本考案の実施例１について、図１、２を参照しながら説明する。図１は、本考案の実施例に係る鍋蓋収納ラックの斜視図である。図２は、同上、鍋蓋収納ラックに鍋蓋を立掛けた状態の断面図である。【００１７】図１に示すように、鍋蓋収納ラック１０は、下方に下貫板１、１が所定の間隔を隔てて平行に設けられる。そして、これらの下貫板１、１を跨るように、複数の仕切板２が下貫板１、１に対して直立して設けられる。また、複数の仕切板２は、所定の間隔をおいて、この斜視図における手前から奥へ向かって並ぶ。また、各々の仕切板２の周辺部の中、上辺部には略中央に溝３が下向きに設けられ、上方に向かってＶ字状に開く。同様に、仕切板２の底辺部にも溝４が設けられている。この溝４は、各々の仕切板２の底辺部に設けられ、手前から奥へ向かってトンネル状に断続的に形成される。【００１８】上辺部の溝３のＶ字形の底は溝底部３１を形成し、溝の両側は側部３２、３２が上方へ向かってＶ字状に開く。本図１における手前から奥に向かって仕切板２の高さが順次高くなり、これに合わせて溝３の、溝底部３１から下貫板１、１の上面１１までの高さも、順次奥に向かって高くなるように傾斜して設けられる。また、隣接する仕切板２間の内法間隔は、手前から奥に向かって同じ寸法とは限らず、必要に応じて、間隔を広め、あるいは、間隔を狭める。【００１９】以上のように鍋蓋収納ラックが構成され、次に作用について説明する。【００２０】図２に、鍋蓋収納ラックに鍋蓋を立掛けた状態を断面図として示す。ここで、この図における左側を鍋蓋収納ラックの手前、右側を奥と称する。鍋蓋のつまみＴが細くなった部位であるつまみ軸ｄを、手前の仕切板２の上方から溝３へ挿入する。溝３の形状は、下方へＶ字状に狭まるので、つまみ軸ｄの大きさに応じて溝３の適宜深さ位置につまみＴが止まる。次に鍋蓋を複数の仕切板２に立掛ける態様を説明する。手前から奥に向かって、隣接する仕切板２、２間に形成される複数の仕切りに、鍋蓋Ｎ１、Ｎ２、Ｎ３、Ｎ４およびＮ５を立掛けることにする。仕切板２の溝３の溝底部３１から下貫板１、１の上面１１までの高さが鍋蓋の立掛け高さであり、この高さは鍋蓋の直径の半分より充分大きいので、鍋蓋Ｎ１と下貫板１、１との間に間隙Ｇが確保される。即ち、鍋蓋Ｎ１は、溝３に立掛けられて浮いた状態になる。他の鍋蓋Ｎ２、Ｎ４、Ｎ５についても同様に、溝３の溝底部３１から下貫板１の上面１１までの高さが手前から奥へ向かって順次高くなっているので、鍋蓋の直径が大きくなっても各々の鍋蓋と下貫板１、１との間に間隙Ｇが確保され、鍋蓋は、溝３に立掛けられて浮いた状態になる。つまみＴの細いつまみ軸ｄは、溝３の窪みに確実に挿入されるので鍋蓋は外れることがなく、鍋蓋は整然と整頓される。そして、手前から奥まで、各々の鍋蓋の直径小から大まで重なることなく立掛けられるので、しかる後、鍋蓋の外周縁を摘んで取り出し易い。【００２１】ここで、溝３はＶ字状で、溝底部３１から上方へＶ字状に開くので、鍋蓋のつまみ軸ｄの寸法のある程度の範囲において対応できる。【００２２】隣接する仕切板２、２間の各間隔を等間隔ではなく、例えば、間隔を広くしておくと、隣接する仕切板の間に鍋蓋を複数個例えば２個立掛けることができる。即ち、図２の奥側の仕切りでは、鍋蓋Ｎ４のつまみＴを溝３に挿入して手前の仕切板２に立掛け、鍋蓋Ｎ５のつまみＴを奥の仕切板２に立掛けることができるので、より整頓できる。また、例えば、手前から２番目の仕切りでは、鍋蓋Ｎ２の他、つまみの無い落し蓋Ｎ３を下貫板１、１の上に載置する様な使い方もできる。【００２３】溝３の溝底部３１の高さが複数の仕切板２の手前から奥へ向って、傾斜して順次高くなるので、鍋蓋の直径の小から大まで溝３に立掛けることができる。手前の仕切板２の溝底部３１の高さ位置が低いので、次の奥の仕切板２における溝３の位置を見ながら次の鍋蓋を立掛け易い。【００２４】鍋蓋収納ラックの下貫板１、１の間は所定の間隔を有して開放され、また、仕切板２、２の間において、上方、側方は勿論、下方の溝４も各々の仕切板２の手前から奥へ向かってトンネル状に開放されているので、通気性がよい。従って、水切りの悪い鍋蓋を立掛けても自然乾燥できる。【００２５】また、鍋蓋収納ラックの下貫板１、１の間は所定の間隔を有するので、落し蓋Ｎ３等のつまみの無い鍋蓋の外周縁を、下貫板１、１を跨がらせ仕切板２に立掛けることもできる。【００２６】以上、鍋蓋掛け高さは手前から奥へ向かって高くなることで説明したが、同じ直径の鍋蓋を立掛けるためには同じ高さであっても構わない。また、溝３の形状はＶ字状になることで説明したが、仕切板の上辺部から溝底部３１まで平行な溝であってもよく、つまみ軸ｄの近似太さに対応できる。
【実施例２】本考案の実施例２について、図３を参照しながら説明する。図３は、本実施例２に係る鍋蓋収納ラックの斜視図である。【００２７】本実施例の実施例１との主たる相違点は、溝を仕切板２の側辺部から中央へ向けて設けたところにある。以下、実施例１と相違する箇所について主に説明する。【００２８】最近のシステムキッチンでは、シンク下の観音開き等の開き戸の中は縦、横、高さとも比較的広いスペースがある。そこで、この開き戸の中に鍋蓋収納ラックを置き、側方から鍋蓋を立掛けることができれば便利である。図３に示すように、溝３‘を仕切板２の側辺部から中央へ向かって設ける。そして、側部３２‘、３２’を傾斜させる。即ち、側辺部の手前を高く、中央部の溝底部３１’へ向かって低くするとともに、横に倒したＶ字状に、手前が開き溝底部３１’へ細くなった溝３‘を形成する。他の仕切板についても、同様に溝３‘を設ける。また、実施例１と同様に、本図３における手前から奥に向かって仕切板２の高さが高くなり、これに合わせて溝３‘の、溝底部３１‘から下貫板１、１の上面１１までの高さも、順次高くなるように傾斜して設けられる。【００２９】通常、シンク下の開き戸の中には、無造作に鍋、フライパン等と一緒に鍋蓋等平らな調理器を上方から重ねて収納しがちなので、後で、欲しい鍋蓋を取り出すのが面倒である。本実施例では、仕切板２に鍋蓋のつまみ軸ｄを側方から挿入することができるように、側辺部に溝３‘を設ける。溝３’は、仕切板２の中央の溝底部３１’へ向かって低く傾斜して形成されているので、一度、溝３‘へつまみＴを挿入すると、鍋蓋が溝３’から外れて落ちることがない。【００３０】本実施例２では、溝３‘を仕切板２の側辺部から中央部へ向かって設けることを、便宜上図３を参照して説明した。ところで、この図３においては、仕切板２の溝３‘の他に上辺部に溝３を示した。仕切板２の上辺部と側辺部の２箇所に溝３、３‘を設けることにより、上方あるいは側方のどちらからでも鍋蓋を立掛けることができるので便利である。しかしながら、必ずしも仕切板２の上辺部と側辺部の２箇所に溝を設ける必要はなく、溝３‘を単独で側辺部に設けることでも構わない。【００３１】ここで、図３の鍋蓋収納ラックの使い方についてまとめる。仕切板２の溝３および溝３‘の双方に、同時に鍋蓋を立掛けることはない。１個の鍋蓋収納ラックを使って二つの使い方ができる。使い方の１は、実施例１のような使い方であって、シンク下の引き出しの中に鍋蓋収納ラックを置き、上辺部の溝３を使って仕切板２の上方から鍋蓋を立掛ける。使い方の２は、実施例２のような使い方であって、システムキッチンにおける開き戸の中に鍋蓋収納ラックを置き、側辺部の溝３‘を使って仕切板２の側方から鍋蓋を立掛ける。【００３２】以上、本考案の実施例１、２で説明した鍋蓋収納ラックの代表的な寸法について説明する。家庭で使用する円盤状の鍋蓋のサイズは一般に、直径が１５〜２２センチメートル程度であり、厚みは２．５〜３．５センチメートルである。従って、実施例１における仕切板２の溝底部３１の高さは、例えば最小約８センチメートルにすれば鍋蓋の外周縁と下貫板との間に空隙Ｇを確保することができる。また、本考案の実施例１、２で説明した鍋蓋収納ラックの隣接する仕切板間の内法間隔は、例えば約４センチメートルにすれば全ての鍋蓋を立掛け収納することができる。場合によっては、仕切板同士の間隔の間に、複数の鍋蓋を立掛けることができるように、間隔を少し広めればよい。【００３３】本考案の鍋蓋収納ラックを構成する仕切板、下貫板の材質としては樹脂が好ましい。例えば、ポリスチレン、スチロール、ポリエチレン、ポリプロピレンあるいはＥＶＡ等の樹脂がよい。特に、ポリスチレンあるいはスチロールを使用することにより、透明の鍋蓋収納ラックが得られる。その結果、透明の仕切板に鍋蓋を立掛ける際に、隣同士の鍋蓋のつまみ軸の位置を確認でき、また、後で取り出す際に鍋蓋同士の重なり具合を確認できるので、鍋蓋の溝への挿入あるいは取り出しの際好都合である。
【産業上の利用可能性】
【００３４】なお、本考案の鍋蓋収納ラックの使途は、本や書類等を整頓する為に本立ての様に使ってもよい。樹脂の他に、木材や、必要に応じて合成板等から作られるものでも勿論よい。
【図面の簡単な説明】
【００３５】
【図１】本考案の実施例１に係る鍋蓋収納ラックの斜視図である。
【図２】同上、鍋蓋収納ラックに鍋蓋を立掛けた状態の断面図である。
【図３】本考案の実施例２に係る鍋蓋収納ラックの斜視図である。
【符号の説明】
【００３６】１  下貫板
１１  上面
２  仕切板
３、３‘  溝
３１、３１‘  溝底部
３２、３２‘  側部
４  溝
１０  鍋蓋収納ラック
ｄ  つまみ軸
Ｇ  間隙
Ｎ１、Ｎ２、Ｎ３、Ｎ４  鍋蓋
Ｔ  つまみ
【図１】
0003121019.tif 000003
【図２】
0003121019.tif 000004
【図３】
0003121019.tif 000005